(57)【要約】【課題】シャッタ部材を備えたディスク装置において、装置内の熱の滞留を抑制し、装置内部の温度の上昇を防止する。【解決手段】ディスク装置は、ディスクの記録または再生動作時に挿入口２３を開閉自在に塞ぐシャッタ部材８６と、シャッタ部材８６を開閉するシャッタ開閉機構と、本体内の温度を検出する温度検出部とを備え、温度検出部により所定の温度より高い温度が検出された場合に、シャッタ開閉機構を駆動し、シャッタ部材８６を開状態にする制御部を備えている。【選択図】図７
2010277670.tif 000002
【特許請求の範囲】
【請求項１】
ディスクの記録または再生動作時にディスク挿入口を開閉自在に塞ぐシャッタ部材と、前記シャッタ部材を開閉するシャッタ開閉機構と、本体内の温度を検出する温度検出部とを備え、
前記温度検出部により所定の温度より高い温度が検出された場合に、前記シャッタ開閉機構を駆動し、前記シャッタ部材を開状態にする制御部を備えたこと、
を特徴とするディスク装置。
【請求項２】
前記シャッタ開閉機構は、スライドするプレートに設けられたシャッタ開閉制御カムによって駆動されること、
を特徴とする請求項１記載のディスク装置。
【請求項３】
前記シャッタ開閉制御カムには、前記ディスクを前記ディスク挿入口に出し入れする際に前記シャッタ開閉機構を駆動する開閉カム部が設けられ、
前記温度検出部により所定の温度以上の温度が検出された場合にシャッタ開閉機構を駆動する開放カム部が、前記開閉カム部に連なって設けられていること、
を特徴とする請求項２記載のディスク装置。
【発明の詳細な説明】
【技術分野】
【０００１】
本発明は、ＣＤ（コンパクトディスク）、ＤＶＤ（デジタル・バーサタイル・ディスク）等の記録媒体ディスクの情報を再生し、または、記録媒体ディスクに情報を記録するディスク装置に関する。
【背景技術】
【０００２】
従来、ＣＤ、ＤＶＤプレーヤ等のディスク装置では、ディスク装置の前面に形成されたディスク挿入口をシャッタ部材により閉鎖して、ディスク挿入口に他のディスクが挿入される誤挿入や異物の侵入を防止していた。（例えば、特許文献１参照）。
【先行技術文献】
【特許文献】
【０００３】
【特許文献１】特開２００７−２６５４６号公報
【発明の概要】
【発明が解決しようとする課題】
【０００４】
しかし、上記従来のディスク装置では、上記シャッタ部材によってディスク挿入口が密閉された状態で記録再生動作が行われるため、ディスク装置内の発熱が装置内部に滞留し、装置内部が高温にさらされる可能性があった。
【０００５】
本発明は、上述した事情に鑑みてなされたものであり、シャッタ部材を備えたディスク装置において、装置内の熱の滞留を抑制し、装置内部の温度の上昇を防止することを目的とする。
【課題を解決するための手段】
【０００６】
上記目的を達成するために、本発明は、ディスクの記録または再生動作時にディスク挿入口を開閉自在に塞ぐシャッタ部材と、前記シャッタ部材を開閉するシャッタ開閉機構と、本体内の温度を検出する温度検出部とを備え、前記温度検出部により所定の温度より高い温度が検出された場合に、前記シャッタ開閉機構を駆動し、前記シャッタ部材を開状態にする制御部を備えたことを特徴とするディスク装置を提供する。
この構成によれば、温度検出部により本体内の温度が所定の温度より高くなったことが検出された場合に、制御部によりシャッタ開閉機構を駆動し、シャッタ部材を開状態にしてディスク挿入口から熱を排出できる。これにより、通常時はディスク挿入口を閉じて誤挿入等を防止でき、温度が上昇した場合には熱を排出してディスク装置内の熱の滞留を抑制し、装置内部の温度の上昇を防止できる。
【０００７】
また、上記構成において、前記シャッタ開閉機構は、スライドするプレートに設けられたシャッタ開閉制御カムによって駆動されても良い。
この場合、プレートをスライドさせることで、シャッタ開閉制御カムによってシャッタ開閉機構を駆動でき、簡単な構造でシャッタ開閉機構を駆動できる。
【０００８】
また、前記シャッタ開閉制御カムには、前記ディスクを前記ディスク挿入口に出し入れする際に前記シャッタ開閉機構を駆動する開閉カム部が設けられ、前記温度検出部により所定の温度以上の温度が検出された場合にシャッタ開閉機構を駆動する開放カム部が、前記開閉カム部に連なって設けられても良い。
この場合、ディスクを出し入れするために設けられる開閉カム部に連なって開放カム部が設けられるため、開放カム部を設けるための他の部品が必要なく、簡単な構造でシャッタ開閉機構を駆動できる。
【発明の効果】
【０００９】
本発明によれば、シャッタ部材を備えたディスク装置において、装置内の熱の滞留を抑制し、装置内部の温度の上昇を防止することができる。
【図面の簡単な説明】
【００１０】
【図１】本発明に係るディスクプレーヤの一実施の形態を示す斜視図である。
【図２】アッパーシャーシを取り外した斜視図である。
【図３】メインシャーシにドライブユニットを取り付けた左方視の斜視図である。
【図４】シャーシ前部の近傍を後方側から見た斜視図である。
【図５】カムプレートをドライブユニット側から見た側面図である。
【図６】前面パネルの近傍を後方側から見た斜視図である。
【図７】シャッタ部材の開閉を示す斜視図である。
【図８】シャッタ部材の近傍の拡大図である。
【図９】ディスクの記録再生動作中にシャッタ部材を開状態にする処理を示すフローチャートである。
【図１０】変形例におけるシャッタ部材の周辺を示す正面図である。
【発明を実施するための形態】
【００１１】
以下、本発明の一実施の形態を、図面に基づき説明する。
図１は、本実施の形態に係るディスクプレーヤの外観を示す斜視図である。このディスクプレーヤ１０（ディスク装置）は、車両に搭載されるカーナビゲーション装置等の車載機器であり、上下の高さが抑えられて薄型に構成され、ＣＤ、ＤＶＤ等の例えば直径８ｃｍや、直径１２ｃｍ等の大きさの記録媒体ディスクを内部に引き込み、このディスクに記録された情報を再生し、または、ディスクに情報を記録するものである。１は本体を示し、この本体１は板金製のシャーシ３を備えている。
【００１２】
シャーシ３はメインシャーシ５と、このメインシャーシ５の上方を覆うアッパーシャーシ７とを備え、その内側には、図１では図示を省略したが、ディスクをローディングするためのローディングメカニズム、ローディングされたディスクをクランプするためのクランパメカニズム、クランプされたディスクをドライブするためのドライブメカニズム等が設けられている。
本体１には、その前面を覆う板状の前面パネル８が取り付けられており、この前面パネル８には、横長のスリット状に形成された挿入口２３（ディスク挿入口）が形成され、挿入口２３から記録媒体としてのディスクが挿入または排出される。
また、前面パネル８は、後述するシャッタ部材８６が設けられるパネル本体１８と、パネル本体１８の前面を覆う化粧パネル１８Ａとを備えている。
【００１３】
図２は、アッパーシャーシ７及び前面パネル８を取り外した斜視図であり、図３は、メインシャーシ５にドライブユニット９を取り付けた左方視の斜視図である。
上記メインシャーシ５は、図２に示すように、枠状に形成され、このメインシャーシ５には、複数の防振部材８０が取り付けられ、この防振部材８０の上に、クランパメカやドライブメカが一体化されたドライブユニット９が載置されて、フローティング支持されている。
【００１４】
ドライブユニット９は、防振部材８０により支持されるフローティングシャーシ１３と、ディスクの半径方向に移動しディスクの情報を読み取るピックアップ部１０５と、フローティングシャーシ１３の後端部の両側にヒンジ１５で連結され、先端１７Ａを閉じる方向にばね付勢されて、フローティングシャーシ１３と協働してディスクを挟持するスイングプレート１７と、狭持されたディスクを回転させるディスク駆動部５５とを備えている。
【００１５】
ピックアップ部１０５は、ディスクの情報記録面に向けてレーザ光を照射するレーザーダイオードと、このレーザ光の反射光を受光する受光素子と、この照射光及び反射光を集光するための対物レンズ等の光学系とを備え、読み取った情報を再生部（図示略）に出力する。この再生部は、制御部２０（図４参照）の制御の下、ピックアップ部１０５により読み取られた信号からディスク４０に記憶された情報を再生するものである。また、ピックアップ部１０５には、本体１内の温度を検出する温度センサ１０６（温度検出部）が設けられている。制御部２０は、本体１内の制御基板上に設けられている。
スイングプレート１７の先端１７Ａにはマグネット入りの回転板１９が支持され、回転板１９に対向するターンテーブル２１が、フローティングシャーシ１３に支持されている。そして、後述するように、ディスクが挿入されて、スイングプレート１７が閉じると、先端１７Ａの回転板１９とターンテーブル２１とで挟持されてディスクが回転可能になる。
【００１６】
メインシャーシ５の前部には、板状のシャーシ前部６が設けられ、このシャーシ前部６には前面パネル８が着脱可能に取り付けられる。前面パネル８の挿入口２３（図１参照）の奥には、図２に示すように、シャーシ前部６の近傍に設けられたモータ２４で駆動されるローディングローラ２５が設けられている。モータ２４は、制御部２０によって駆動される。
ローディングローラ２５は、挿入口２３へのディスクの挿入が検知されると、制御部２０の制御の下、モータ２４により駆動されて、当該ディスクを本体１内に引き込む。このローディングローラ２５は、メインシャーシ５の幅方向に延在するローラプレート２７に支持されている。
【００１７】
ローラプレート２７は、挿入口２３の後方側に設けられ、その両端が上方に屈曲されて形成された屈曲部２７Ａを備え、各屈曲部２７Ａの後端には、ローディングローラ２５の駆動軸２５Ａが回転自在に支持されている。また、各屈曲部２７Ａの前端には、ヒンジピン２８が設けられ、ローラプレート２７は、このヒンジピン２８を介してメインシャーシ５の左右の側壁に揺動自在に連結されている。すなわち、ローディングローラ２５は、ローラプレート２７の揺動によって上下にその高さ位置が変化し、ドライブユニット９内のディスクに接離可能に構成されている。また、ローラプレート２７は、図示を省略したばねにより、ローラプレート２７の前端を下げて、ローディングローラ２５を持ち上げる方向に付勢されている。
【００１８】
また、ローラプレート２７の前端には、ローラプレート２７の前部の一部を前方に延出した後、上方に屈曲させて形成された爪部６０が設けられている。この爪部６０は、後述するシャッタ部材８６（図６参照）を揺動させる機能を有している。
【００１９】
図３に示すように、ドライブユニット９の上面の左後部には支持軸３０を介してトリガープレート３１が揺動自在に支持されている。なお、図２ではこのトリガープレート３１の図示を省略している。
トリガープレート３１は、ばね３１Ｓにより、反時計方向に付勢されており、その一端３１Ａには、ドライブユニット９の内方に折り曲げられた、２つの突起３２，３３が各々一体に形成されている。一方の突起３２には、引き込まれた８ｃｍディスクが当接可能であり、他方の突起３３には、引き込まれた１２ｃｍディスクが当接可能である。
トリガープレート３１の他端３１Ｂは、ドライブユニット９の外側に延出し、ドライブユニット９の外壁に沿って下方に折り曲げられている。この他端３１Ｂは、メインシャーシ５に配置されたトリガー３５の後面３５Ｋに当接する。そして、ディスクが本体１に引き込まれ、突起３２，３３のいずれかに当接し、トリガープレート３１が反時計方向に回動すると、このトリガープレート３１が、トリガー３５を前進（矢印Ｘの方向）させる。このトリガー３５は、トリガー３５の後部に設けられたばね３４により、他端３１Ｂ側（矢印Ｙの方向）に付勢されている。
【００２０】
このトリガー３５の一部は、図３に示すように、メインシャーシ５の底部に沿って前方に延出し、この延出部の上面にはトリガーラックギア３５Ａが一体に形成されている。トリガーラックギア３５Ａの前方には、メインシャーシ５の側面を構成する側板５Ａ（図２参照）に支持されたファイナルギア３７が配置されている。このファイナルギア３７は、通常時にトリガーラックギア３５Ａに噛み合わない位置に支持されており、トリガープレート３１が回動して、トリガー３５が前進したときにのみ、トリガーラックギア３５Ａに噛み合う。ファイナルギア３７は、図２に示すように、複数のギアからなるギア輪列３８を介して、メインシャーシ５のシャーシ前部６近傍のモータ２４に連結されており、モータ２４の駆動時に、トリガーラックギア３５Ａとファイナルギア３７とが一旦噛み合うと、それ以後は、ファイナルギア３７を介して伝達されるモータ２４の駆動力でトリガー３５が前進する。
【００２１】
図４は、シャーシ前部６の近傍を後方側から見た斜視図である。ここで、図４では、記録媒体としてのディスク４０を２点鎖線で示している。
ディスク４０は、図中に矢印で示す挿入方向Ｉの方向に挿入され、ディスク４０の挿入方向Ｉは、前面パネル８の面に対し垂直な方向である。
トリガー３５には、図３及び図４に示すように、前後方向へ延びる板状のカムプレート４１（プレート）が一体に連結されている。このカムプレート４１は、ギア輪列３８よりも内側を当該ギア輪列３８と平行に延在している。
【００２２】
図５は、カムプレート４１をドライブユニット９側から見た側面図である。
カムプレート４１は、側面視で略Ｖ字状に形成されたカム溝４５（シャッタ開閉制御カム）を有するガイド部４２と、後方側にかけて階段状に低くなるカム面４６を有するクランパ開閉部４３とを備えている。ガイド部４２はカムプレート４１の前部に形成され、クランパ開閉部４３はガイド部４２の後方に形成されている。
【００２３】
ガイド部４２の先端の上部には、前方側に突出した突出部４４が形成され、カム溝４５は、この突出部４４を始点として後方側に延在している。詳細には、カム溝４５は、突出部４４の下面に形成されて略水平に延びるイジェクト部４７Ａと、イジェクト部４７Ａから後下がりに傾斜したロード・アンロード部４７Ｂと、ロード・アンロード部４７Ｂの下端から後方へ略水平に延びる記録再生部４７Ｃと、記録再生部４７Ｃの後端から後上がりに傾斜した開放部４７Ｄ（開放カム部）とを有している。
【００２４】
カム溝４５は、ローディングローラ２５の駆動軸２５Ａ（図４参照）に係合して配置され、カムプレート４１が駆動軸２５Ａに対して前後にスライドすることで駆動軸２５Ａがカム溝４５に沿って案内され、ローディングローラ２５の高さ位置が変化させられる。すなわち、ローディングローラ２５の高さ位置は、カム溝４５によって制御され、これに伴い、ローラプレート２７は、ローディングローラ２５の高さ位置の変化に連動してヒンジピン２８を中心に揺動する。
【００２５】
クランパ開閉部４３のカム面４６には、図３に示すように、ドライブユニット９のスイングプレート１７の前部が前方に延出されて形成されたアーム部１７Ｂが当接している。アーム部１７Ｂは、カムプレート４１の前後への移動に伴ってカム面４６に沿って上下に変位し、これに伴い、スイングプレート１７が上下に揺動されて、回転板１９とターンテーブル２１との間の距離が変化する。すなわち、カム面４６に沿ってアーム部１７Ｂが上下に揺動されることで、ドライブユニット９によるディスク４０のクランプ動作が制御されている。
【００２６】
そして、ディスク４０が挿入口２３に挿入されると、制御部２０はモータ２４によってローディングローラ２５を駆動してディスク４０をドライブユニット９に搬送する。この段階では、駆動軸２５Ａはイジェクト部４７Ａに位置し、ローディングローラ２５はディスク４０の下面に接触可能な高さに位置している。ディスク４０の挿入に伴い、トリガー３５はトリガープレート３１を介して前進させられて、モータ２４が駆動するファイナルギア３７に噛み合う。トリガー３５がそのストロークエンドに移動してカムプレート４１を押すと、カムプレート４１のラックがファイナルギア３７と噛み合い、カムプレート４１が前進（矢印Ｘの方向）する。
【００２７】
上記カムプレート４１が前進（矢印Ｘの方向）すると、上記アーム部１７Ｂが当接しているカム面４６が徐々に低くなって、スイングプレート１７が、ばね力で閉じる方向に下方に揺動し、さらに前進してカムプレート４１が前進限界の位置に移動すると、アーム部１７Ｂがカム面４６から完全に離れ、スイングプレート１７の先端の回転板１９が下降し、回転板１９とターンテーブル２１とによるディスク４０のクランプが完了する。この状態では、スイングプレート１７のアーム部１７Ｂとカム面４６との係合が解除されており、ドライブユニット９が、複数の防振部材８０を介して完全にフローティング支持されている。
【００２８】
同時に、カムプレート４１の前進に伴い、ローディングローラ２５の駆動軸２５Ａが、カム溝４５のロード・アンロード部４７Ｂを経て記録再生部４７Ｃまで案内されると、ローラプレート２７はヒンジピン２８を中心に揺動されて、ローディングローラ２５が下方に変位し、ローディングローラ２５が、クランプ状態にあるディスク４０の下面から離れる。また、ローラプレート２７上においてローディングローラ２５の反対側に設けられた爪部６０は、上方に変位する。この状態において、ターンテーブル２１を回転させるとともに、ディスク４０の半径方向にピックアップ部１０５を移動させることにより、ディスク４０の情報が読み込まれる。
【００２９】
一方、ディスク４０を排出する際には、制御部２０によって上記モータ２４が逆回転され、ギア輪列３８、ファイナルギア３７及びトリガーラックギア３５Ａを介して、トリガー３５及びカムプレート４１が後退（矢印Ｙの方向）する。それに伴って、上記アーム部１７Ｂが当接しているカム面４６が徐々に高くなり、スイングプレート１７が、ばね力に抗して押し上げられて開く方向に揺動する。さらに後退してカムプレート４１が後退限界の位置に移動すると、アーム部１７Ｂがカム面４６の最も高い位置に乗り上げて、ディスク４０のクランプ状態が解除され、スイングプレート１７の先端の回転板１９と、ターンテーブル２１との間にディスク挿入用の隙間が形成される。
【００３０】
同時に、カムプレート４１の後退に伴い、ローディングローラ２５の駆動軸２５Ａが、記録再生部４７Ｃからロード・アンロード部４７Ｂを経てイジェクト部４７Ａまでガイドされると、ローラプレート２７はヒンジピン２８を中心に揺動されて、ローディングローラ２５が上方に変位し、ディスク４０の下面に接触する高さまで上昇する。そして、ローディングローラ２５にディスク４０が接触すると、ディスク４０は回転するローディングローラ２５によって挿入口２３から排出される。また、ヒンジピン２８を挟んでローディングローラ２５の反対側の前部に設けられた爪部６０は、下方に変位する。
【００３１】
図６は、前面パネル８の近傍を後方側から見た斜視図である。
本構成では、図６に示すように、前面パネル８の挿入口２３を開閉するシャッタ開閉機構７０が設けられている。シャッタ開閉機構７０は、ローラプレート２７の揺動動作に連動し、ドライブユニット９にディスク４０がクランプされて再生動作が行われている場合に、挿入口２３を閉じてディスクの二重挿入を防止するものである。
ローラプレート２７の前端の爪部６０は、モータ２４の側方に隣接して形成されている。爪部６０は、ローラプレート２７から前方に延出する延出部６１と、延出部６１から立設されて挿入口２３の中央側に延びる板部６２とを有し、板部６２には、略矩形の開口６２Ａが形成されている。この開口６２Ａは、ローラプレート２７の揺動動作に伴って上下に変位する。
【００３２】
図７は、シャッタ部材８６の開閉を示す斜視図であり、図７（Ａ）は、開状態を示し、図７（Ｂ）は閉状態を示している。図８は、シャッタ部材８６の近傍の拡大図である。
シャッタ開閉機構７０は、挿入口２３を開閉自在に塞ぐシャッタ部材８６と、このシャッタ部材８６を揺動させるローラプレート２７と、ローディングローラ２５とを備えている。
図７及び図８に示すように、シャッタ部材８６は、挿入口２３の全体を閉じる長尺状のシャッタプレート６８と、シャッタプレート６８を支持するとともに揺動させるシャッタアーム７１と、シャッタアーム７１を軸支する軸７２と、シャッタアーム７１と同軸に軸７２によって軸支されるクラッチプレート７３と、シャッタアーム７１とクラッチプレート７３とを一体に連結するクラッチばね７４と、シャッタアーム７１を開方向に付勢する戻しばね７５とを備えて構成されている。
【００３３】
シャッタ部材８６は、前面パネル８のパネル本体１８の裏面側において、挿入口２３を開状態とした際に、挿入口２３の下方でディスク４０の挿入の邪魔にならない位置にまとめて配設されている。
軸７２は、パネル本体１８の裏面側においてローラプレート２７の爪部６０の近傍に立設されている。シャッタアーム７１の基部は軸７２によって揺動自在に軸支され、シャッタアーム７１の先端７６には、シャッタプレート６８を軸支する支持ピン６５が設けられ、シャッタプレート６８は、その長手方向の中央部を支持ピン６５によって支持されて、支持ピン６５を中心に回転可能に取り付けられている。
【００３４】
詳細には、パネル本体１８と化粧パネル１８Ａ（図１参照）との間には、シャッタプレート６８が上下に移動可能な空間が形成されており、シャッタプレート６８はこの空間内を移動して挿入口２３を開閉する。すなわち、シャッタプレート６８はパネル本体１８の裏面側のシャッタアーム７１に支持されて、パネル本体１８の前面側に配置されている。パネル本体１８の前面側の左右端には、シャッタプレート６８の両端をガイドするガイド突起６６がそれぞれ形成されており、シャッタプレート６８はガイド突起６６にガイドされて支持ピン６５を中心にわずかに回転することによって略水平の状態を保って上下に移動可能である。また、パネル本体１８の中央部には、支持ピン６５の近傍に設けられたシャッタプレート６８とシャッタアーム７１との連結部を避けるように切り欠いて形成された逃げ部６７が設けられている。
【００３５】
また、シャッタアーム７１において軸７２を挟んで支持ピン６５の反対側の後端には、クラッチばね７４の一端７４Ａが取り付けられるシャッタ側突起７１Ａが立設されている。
クラッチプレート７３は、シャッタアーム７１をパネル本体１８とクラッチプレート７３との間に挟むようにシャッタアーム７１の基部の面に重ねて配置され、シャッタアーム７１及びクラッチプレート７３に挿通される軸７２によってシャッタアーム７１と同軸に軸支されている。シャッタアーム７１は軸７２を支点としてクラッチプレート７３に対して相対回転可能であり、ディスク４０の挿入方向Ｉ（図４参照）と略垂直な面内で揺動する。
クラッチプレート７３において、軸７２を挟んで先端７６の側の端には、円柱状の開閉用突起７８が立設されている。クラッチプレート７３は、この開閉用突起７８が、ローラプレート２７の爪部６０の開口６２Ａに係合した状態で取り付けられる。
【００３６】
また、クラッチプレート７３において、軸７２を挟んで開閉用突起７８の反対側の端には、クラッチばね７４の他端７４Ｂが取り付けられるクラッチ側突起７３Ａが立設されている。
さらに、クラッチプレート７３には、軸７２の周囲に円形の凸部７３Ｂが形成されており、この凸部７３Ｂには、ねじりコイルばねにより構成されたクラッチばね７４が巻き付けられるようにして取り付けられる。
【００３７】
クラッチプレート７３のクラッチ側突起７３Ａは、シャッタアーム７１のシャッタ側突起７１Ａの上方に位置し、クラッチばね７４は、他端７４Ｂがクラッチ側突起７３Ａの下面に当接し、一端７４Ａがシャッタ側突起７１Ａの上面に当接して取り付けられている。すなわち、クラッチばね７４は、シャッタ部材８６の揺動時にシャッタアーム７１とクラッチプレート７３とを一体に連結し、クラッチプレート７３に対し、シャッタアーム７１が相対回転した場合には、クラッチばね７４の撓みによる付勢力が発生する。例えば、クラッチプレート７３の揺動を規制した状態でシャッタアーム７１を強制的に開方向（矢印Ｏの方向）に揺動させた場合、クラッチばね７４は、シャッタアーム７１を閉方向（矢印Ｃの方向）に揺動させる付勢力を発生させる。
【００３８】
また、パネル本体１８におけるモータ２４側の端部には、戻しばね７５の一端が取り付けられる突起８Ａが形成されており、戻しばね７５の他端は、シャッタアーム７１のシャッタ側突起７１Ａに取り付けられている。戻しばね７５はコイルばねであり、シャッタ側突起７１Ａを引っ張ることにより、シャッタアーム７１を軸７２を支点として図中の反時計回転方向、すなわち、開方向（矢印Ｏの方向）に付勢している。
つまり、シャッタ部材８６は、無負荷状態では、図７（Ａ）に示すように、シャッタ側突起７１Ａが戻しばね７５によって引っ張られて矢印Ｏの方向に揺動させられ、開状態となっている。また、クラッチプレート７３は、クラッチばね７４を介して力を受け、シャッタアーム７１と一体に揺動する。この状態では、クラッチばね７４にはほとんど力がかかっておらず、クラッチばね７４は撓んでいない。
【００３９】
また、パネル本体１８の上部には、シャッタアーム７１の先端７６の上端７６Ａに当接する位置規制部８Ｂが設けられ、パネル本体１８の裏面において開閉用突起７８の近傍には、シャッタアーム７１の上縁部に当接する位置規制突起８Ｃが形成されている。シャッタアーム７１は、シャッタプレート６８が挿入口２３を塞いだ閉状態において、位置規制部８Ｂ及び位置規制突起８Ｃによってその上限の位置を規制されている。
パネル本体１８の下部には、シャッタアーム７１の先端７６の下縁に当接する位置規制突起８Ｄが形成されており、シャッタアーム７１は、シャッタプレート６８が挿入口２３を開いた開状態において、位置規制突起８Ｄによってその下限の位置を規制されている。
【００４０】
また、位置規制部８Ｂには、シャッタ部材８６の閉状態において先端７６の上端７６Ａが嵌合する溝８２が形成されている。この溝８２は、シャッタアーム７１のディスク４０の挿入方向Ｉ（図４参照）への変位を規制する変位規制部として機能し、シャッタアーム７１に対してディスク４０の挿入方向Ｉに押す力がかかったとしても、上記挿入方向Ｉへのシャッタアーム７１の変位を防止できる。これにより、シャッタアーム７１に対しディスク４０が挿入方向Ｉに押し付けられた場合においても、シャッタアーム７１の破損を防止できる。
【００４１】
ここで、図４〜図８を参照して、シャッタ開閉機構７０の動作について説明する。
図４に示すように、ディスク４０が挿入されていない状態では、ローディングローラ２５の駆動軸２５Ａは、図５に示すカムプレート４１のイジェクト部４７Ａに位置し、ローディングローラ２５は上方に変位してディスク４０を搬送可能な位置にあり、爪部６０の開口６２Ａは下方に変位した位置にある。この状態では、クラッチプレート７３の開閉用突起７８は開口６２Ａ内に位置しているが、シャッタ部材８６は開口６２Ａの影響を受けていない。すなわち、シャッタ部材８６は、シャッタ側突起７１Ａが戻しばね７５によって引っ張られることで、図７（Ａ）に示すように開状態となっており、シャッタ部材８６は爪部６０の開口６２Ａに影響を受けていない。
【００４２】
そして、挿入口２３にディスク４０が挿入され、ローディングローラ２５によってディスク４０がターンテーブル２１まで搬送されてクランプ位置に達すると、モータ２４の駆動によりカムプレート４１が前進し、駆動軸２５Ａが、ロード・アンロード部４７Ｂを経て記録再生部４７Ｃまで案内される。これに伴い、ローディングローラ２５が下方に変位し、ディスク４０はクランプされ、爪部６０の開口６２Ａは、図６に示すように上方に変位する。そして、開閉用突起７８は、開口６２Ａに押し上げられて上方へ変位し、図７（Ｂ）に示すように、シャッタ部材８６は、戻しばね７５の引っ張り力に逆らって矢印Ｃの方向に揺動させられて挿入口２３を塞ぎ、閉状態となる。つまり、シャッタ開閉機構７０は、カム溝４５によって駆動され、ディスク４０のクランプ動作と連動して動作し、ディスク４０がクランプされた状態では挿入口２３をシャッタプレート６８により閉塞し、二重挿入を防止する。
【００４３】
詳細な閉動作を説明すると、図７及び図８に示すように、開閉用突起７８と共にクラッチ側突起７３Ａが矢印Ｃ方向へ揺動し、クラッチ側突起７３Ａからクラッチばね７４を介してシャッタ側突起７１Ａに力が伝わり、シャッタアーム７１がクラッチプレート７３と一体に矢印Ｃの方向へ揺動し挿入口２３を閉じる。この状態では、クラッチばね７４は、戻しばね７５の引っ張り力を受けている分だけ撓んでおり、シャッタアーム７１には、矢印Ｃの方向に閉じる付勢力がかかっている。
【００４４】
図５に示すように、カム溝４５のイジェクト部４７Ａ、ロード・アンロード部４７Ｂ、及び、記録再生部４７Ｃは、ディスク４０を挿入口２３に出し入れする際にシャッタ開閉機構７０を駆動する開閉カム部９１を構成している。
シャッタ部材８６は、駆動軸２５Ａがロード・アンロード部４７Ｂにガイドされて下方に変位するに伴って閉状態から開状態に移行する。詳細には、シャッタ部材８６は、記録再生部４７Ｃに至るロード・アンロード部４７Ｂの中間部６９までは全開の状態にあり、この中間部６９を越えて下方に変位するとシャッタプレート６８による挿入口２３の閉鎖が開始され、記録再生部４７Ｃに達すると完全な閉状態となる。すなわち、中間部６９では、シャッタ部材８６は全開状態にある。ここで、シャッタ部材８６の全開状態とは、シャッタプレート６８によって挿入口２３が閉塞されていない状態を指している。
さらに、開放部４７Ｄの上端４７Ｅは、中間部６９と同一の高さに位置しており、上端４７Ｅに駆動軸２５Ａが位置する状態では、シャッタ部材８６は全開状態になる。また、中間部６９及び上端４７Ｅに駆動軸２５Ａが位置する状態では、ローディングローラ２５はディスク４０の下面よりも下方に位置し、ディスク４０の下面から離れている。
【００４５】
また、シャッタ部材８６は、クラッチプレート７３と、クラッチプレート７３に相対回転可能なシャッタアーム７１と、クラッチばね７４とを備えて構成されるクラッチ機構７９を有している。クラッチ機構７９はシャッタ部材８６に対して、開方向（矢印Ｏの方向）に過大な力がかかった場合に、この力を逃がす機構である。
図６に示すように、シャッタ部材８６の閉状態では、シャッタ部材８６は、クラッチプレート７３の開閉用突起７８が爪部６０の開口６２Ａに押し上げられて閉状態が維持されている。この状態では、挿入口２３がシャッタプレート６８によって塞がれているため、通常、ディスクの二重挿入を防止できる。しかしながら、挿入口２３に他のディスクの先端を当てて、ディスク先端を上下動させてシャッタプレート６８をこじ開けることでディスクを無理やり挿入することが考えられ、この場合、シャッタプレート６８が開方向に揺動して逃げることで、シャッタ開閉機構７０の破損を回避できる。
【００４６】
詳細には、他のディスク等によるこじ開けにより、ディスク４０の挿入方向Ｉと略垂直な面内において開方向（矢印Ｏの方向）の外力を受けた場合、図８に示すように、シャッタアーム７１は、シャッタ側突起７１Ａを介してクラッチばね７４を撓ませながら開方向に揺動する。この際、クラッチプレート７３は、開閉用突起７８が開口６２Ａによって押し上げられており、開方向（矢印Ｏの方向）への揺動を規制された状態にあり、シャッタアーム７１は、固定されたクラッチプレート７３に対して開方向に相対回転する。これにより、シャッタ部材８６にかかる開方向の過大な力を、シャッタアーム７１の揺動に伴うクラッチばね７４の撓みによって吸収することができ、シャッタ開閉機構７０の破損を回避できる。
また、開方向の外力が無くなった場合、クラッチばね７４の復元力によって、シャッタ開閉機構７０は、直ちに閉状態へ復帰される。
【００４７】
ところで、本実施の形態のディスクプレーヤ１０は、本体１の内部の温度が上昇した際にシャッタ部材８６を開状態にする機能を備えている。以下、この機能について説明する。
ピックアップ部１０５に設けられた温度センサ１０６は、本体１内の温度を検出し、制御部２０は、検出された本体１内の温度に基づいてモータ２４を駆動し、カムプレート４１を前後方向にスライドさせる。
【００４８】
ディスク４０がドライブユニット９によってクランプされて記録の再生動作が行われている状態では、駆動軸２５Ａは図５に示すカムプレート４１の記録再生部４７Ｃに位置しており、挿入口２３は、上方に変位した爪部６０を介して揺動させられたシャッタ部材８６によって閉鎖されている。このため、本体１内は密閉された状態となり、本体１内の発熱が滞留することにより、本体１内の温度は上昇する。
【００４９】
制御部２０は、本体１内の温度が基準温度Ｔｏ（所定の温度）よりも大きいことが検出された場合には、モータ２４を駆動してカムプレート４１を前方向にスライドさせ、駆動軸２５Ａを、記録再生部４７Ｃに一体に連なって形成された開放部４７Ｄまでガイドすることで、シャッタ部材８６を開状態にする。ここで、基準温度Ｔｏは、本体１内の温度がディスクプレーヤ１０の機能に影響する温度よりも低い所定の温度に設定されている。また、基準温度Ｔｏは制御部２０が内蔵するメモリ（図示略）に記憶されている。
【００５０】
駆動軸２５Ａが開放部４７Ｄに位置する状態では、アーム部１７Ｂがカム面４６からさらに離れてスイングプレート１７の先端１７Ａが閉じた状態が保たれるため、ディスク４０のクランプ状態を維持できる。さらに、駆動軸２５Ａが開放部４７Ｄの上端４７Ｅに位置する状態では、ローディングローラ２５はその上面がディスク４０の下面に当たらない高さに位置し、挿入口２３は、シャッタ部材８６に閉じられていない開状態にある。このため、駆動軸２５Ａを上端４７Ｅまでガイドすることで、ディスク４０のクランプ状態を維持してディスク４０の記録再生を継続しつつ、シャッタ部材８６を開状態にでき、さらに、この開状態において、ローディングローラ２５がディスク４０に当たらないようにすることができる。
【００５１】
駆動軸２５Ａが記録再生部４７Ｃに位置する状態では、ディスクプレーヤ１０はフローティングモードにあり、フローティングモードでは、ドライブユニット９がフローティング支持された状態でディスク４０の記録の再生動作が行われる。また、駆動軸２５Ａが開放部４７Ｄに位置する状態では、ディスクプレーヤ１０はシャッタ開放モードにあり、シャッタ開放モードでは、ディスク４０の記録の再生が行われるとともに、挿入口２３が開状態となり、挿入口２３を介して換気することができ、本体１内の熱を排出できる。
【００５２】
以下、記録の再生動作中にシャッタ部材８６を開状態にする処理について詳細に説明する。
図９は、ディスク４０の記録の再生動作中にシャッタ部材８６を開状態にする処理を示すフローチャートである。
まず、制御部２０は、フローティングモードによってディスク４０の記録の再生動作を実行し（ステップＳ１）、温度センサ１０６が検出する本体１内の温度ｔが、基準温度Ｔｏを超えたか否かを判定する（ステップＳ２）。
制御部２０は、本体１内の温度ｔが基準温度Ｔｏを超えていない場合は、温度ｔが基準温度Ｔｏを超えるまでフローティングモードを継続する（ステップＳ２：Ｎｏ）。そして、制御部２０は、温度センサ１０６によって本体１内の温度ｔが基準温度Ｔｏを超えたことが検出されると（ステップＳ２：Ｙｅｓ）、シャッタ開放モードへの移行を開始し（ステップＳ３）、モータ２４を駆動してカムプレート４１を前進させる。制御部２０によるシャッタ開放モードの実行中には（ステップＳ４）、駆動軸２５Ａは開放部４７Ｄの上端４７Ｅに位置し、ディスク４０の記録再生が継続されると共に、シャッタ部材８６は開状態となり、挿入口２３が全開になる。これにより、挿入口２３から本体１内の熱が排出され、本体１内が冷却される。
【００５３】
そして、制御部２０は、温度センサ１０６による温度の検出に基づいて、本体１内の温度ｔが基準温度Ｔｏ以下に達したか否かを判定する（ステップＳ５）。
制御部２０は、本体１内の温度ｔが基準温度Ｔｏ以下に達していない場合（ステップＳ５：Ｎｏ）、シャッタ開放モードを継続する。制御部２０は、本体１内の温度ｔが基準温度Ｔｏ以下に達した場合（ステップＳ５：Ｙｅｓ）、フローティングモードに移行し（ステップＳ６）、モータ２４を逆回転で駆動してカムプレート４１を後退させる。これにより、駆動軸２５Ａは記録再生部４７Ｃまでガイドされ、ディスク４０の記録再生が継続されつつ、シャッタ部材８６が開状態となり、挿入口２３が全閉にされ、本体１内の熱を挿入口２３から排出できる。
なお、ステップＳ５では、制御部２０は、本体１内の温度ｔが基準温度Ｔｏ以下に達した場合にフローティングモードに移行するものとして説明したが、これに限らず、基準温度Ｔｏよりも低温な第２の基準温度を設け、この第２の基準温度以下に達した場合に制御部２０がフローティングモードに移行するようにしても良い。
【００５４】
以上説明したように、本発明を適用した実施の形態によれば、フローティングモードによってディスク４０の記録再生を行っている際に、温度センサ１０６により本体１内の温度ｔが基準温度Ｔｏより高く上昇したことが検出された場合に、シャッタ開放モードに移行する。シャッタ開放モードでは、制御部２０がモータ２４を駆動してカム溝４５を前進させてシャッタ開閉機構７０を駆動し、シャッタ部材８６を開状態にして挿入口２３を開放し、挿入口２３から本体１内の熱を排出できる。これにより、フローティングモード時はディスク４０の挿入口２３を閉じて誤挿入等を防止でき、本体１内の温度ｔが上昇した場合には、挿入口２３から熱を排出してディスクプレーヤ１０内の熱の滞留を抑制し、ディスクプレーヤ１０の内部の温度の上昇を防止できる。
また、シャッタ開放モード時は、ディスク４０の記録の再生動作を継続できるため、記録再生動作に影響することなく、シャッタ部材８６を開状態にして本体１内の熱を排出できる。さらに、シャッタ開放モード時に本体１内の温度ｔが基準温度Ｔｏ以下に達した場合には、フローティングモードに移行してシャッタ部材８６が閉状態になり、熱の排出後にすみやかにシャッタ部材８６が閉じられるため、熱を排出可能としつつ、誤挿入を防止できる。
【００５５】
また、カムプレート４１をスライドさせることで、カム溝４５によって駆動軸２５Ａの位置を制御してシャッタ開閉機構７０を駆動でき、簡単な構造でシャッタ開閉機構７０を駆動できる。
さらに、ディスク４０を出し入れするために設けられる開閉カム部９１に連なって開放部４７Ｄが設けられるため、開放部４７Ｄを設けるための他の部品が必要なく、簡単な構造でシャッタ開閉機構７０を駆動してシャッタ部材８６を開状態とし、本体１内の熱を排出できる。
【００５６】
また、上記実施の形態においては、挿入口２３を閉じるシャッタ部材８６は、シャッタ開閉機構７０のローラプレート２７に設けられた爪部６０によって駆動されて開閉されるものとして説明した。本発明はこれに限定されるものではなく、シャッタ部材８６は、シャッタ開閉機構７０が備える別の駆動部によって開閉されても良い。この場合について、変形例として説明する。
【００５７】
［変形例］
本実施形態の変形例として、パネル本体１８の裏面側にシャッタ部材１８６を開閉するソレノイド式アクチュエータ１２０を設けた構成を図１０に示す。図１０（Ａ）は、閉状態を示し、図１０（Ｂ）は開状態を示している。この図１０に示す変形例において上記実施の形態と同様の部分には、同一の符号を付して説明を省略する。
変形例の構成では、図１０（Ａ）に示すように、シャッタ部材１８６は、複数の通気孔１６７を有するメッシュ状のシャッタプレート１６８をシャッタアーム７１に取り付けて構成されている。これにより、シャッタプレート１６８により挿入口２３を閉じた場合においても複数の通気孔１６７を介して本体１内の熱を排出することができるため、シャッタ開放モードを実行する頻度を少なくすることができ、モータ２４の負荷を低減できる。また、通気孔１６７にフィルタを設けて、シャッタプレート１６８に防塵機能を持たせても良い。
【００５８】
この変形例では、シャッタ開閉機構７０は制御部２０により駆動されるソレノイド式アクチュエータ１２０を備え、ソレノイド式アクチュエータ１２０は、シャッタアーム７１の先端７６からクラッチプレート７３とは反対側に離れた位置に配置されている。ソレノイド式アクチュエータ１２０は、パネル本体１８の長手方向に延在する筒状に形成され、その一端には、直線状の往復運動が可能な駆動部１２１が設けられている。駆動部１２１には、柔軟な線材１２２の一端が取り付けられ、線材１２２の他端はシャッタアーム７１の上縁部に取り付けられている。
【００５９】
制御部２０によってソレノイド式アクチュエータ１２０が駆動されると、シャッタアーム７１は線材１２２によってクラッチばね７４に抗して下方に引かれ、図１０（Ｂ）に示すように、シャッタアーム７１と共にシャッタプレート１６８が下方に移動して挿入口２３が開かれる。ソレノイド式アクチュエータ１２０による引っ張りが解除されると、クラッチばね７４の付勢力によって、シャッタ部材１８６は閉状態に戻る。
変形例では、図９におけるステップＳ３でシャッタ開放モードへの移行が開始されると、カムプレート４１はスライドされず、制御部２０がソレノイド式アクチュエータ１２０を駆動して、ステップＳ４でシャッタ部材１８６を開状態とし、本体１内の熱を排出する。これにより、モータ２４の動作の頻度を下げることができ、モータ２４の負荷を低減できる。ここで、シャッタ部材１８６はソレノイド式アクチュエータ１２０により駆動されるものとして説明したが、これに限らず、例えば、小型モータや形状記憶合金によってシャッタ部材１８６を駆動しても良い。
【００６０】
なお、上記実施の形態は本発明を適用した一態様を示すものであって、本発明は上記実施の形態に限定されない。
上記実施の形態では、シャッタ開放モードでは、シャッタ部材８６は開状態となり、挿入口２３は全開になるものとして説明したが、本発明はこれに限定されるものではなく、駆動軸２５Ａを開放部４７Ｄの上端４７Ｅまで移動させずに途中の高さで止めて、シャッタ部材８６を半開の状態にし、挿入口２３にディスク４０が挿入できない程度に挿入口２３を半開にしても良い。この場合、シャッタ開放モード時においてもディスク４０を挿入口２３に挿入できないため、誤挿入を防止しつつ、本体１内の熱を排出できる。また、開放部４７Ｄの上端４７Ｅに駆動軸２５Ａが位置する状態で挿入口２３が半開となるようにして、本体１内の熱を排出しても良い。
また、上記実施の形態では、ディスクプレーヤ１０は、ディスク４０の再生動作が行われている場合に挿入口２３を閉じるものとして説明したが、本発明はこれに限定されるものではなく、ディスクに記録を書き込み可能なディスクプレーヤにおいて、記録動作時にシャッタ開放モードを実行し、シャッタ部材を開状態にして本体内の熱を排出しても良い。また、その他のディスクプレーヤ１０の細部構成についても任意に変更可能であることは勿論である。
【符号の説明】
【００６１】
１  本体
１０  ディスクプレーヤ（ディスク装置）
２０  制御部
２３  挿入口（ディスク挿入口）
４０  ディスク
４１  カムプレート（プレート）
４５  カム溝（シャッタ開閉制御カム）
４７Ｄ  開放部（開放カム部）
７０  シャッタ開閉機構
８６  シャッタ部材
９１  開閉カム部
１０６  温度センサ（温度検出部）
Ｔｏ  基準温度（所定の温度）
【図１】
2010277670.tif 000003
【図２】
2010277670.tif 000004
【図３】
2010277670.tif 000005
【図４】
2010277670.tif 000006
【図５】
2010277670.tif 000007
【図６】
2010277670.tif 000008
【図７】
2010277670.tif 000009
【図８】
2010277670.tif 000010
【図９】
2010277670.tif 000011
【図１０】
2010277670.tif 000012